(57)【特許請求の範囲】
【請求項１】
本体部と、本体部との間で釣竿を挟持する固定部材とからなり、本体部の左右両側に螺子杆が取り付けられるとともに、ナット部材が固定部材側から対応する螺子杆に捩じ込んで締め付けられることにより固定部材と本体部との間で釣竿を挟持して釣竿に固定される竿固定部と、
釣竿を支承する竿受部と、竿固定部の本体部が係脱自在に係止して装着される装着部とを有し、固定状態で設置される装置本体と、
一方のナット部材の回転に連動させて他方のナット部材を同量だけ回転させる手段と、
を具備することを特徴とする釣竿支持装置。
【発明の詳細な説明】
【０００１】
【発明の属する技術分野】
本発明は、船縁等に取り付け固定されて釣竿を着脱自在に支持する竿支持装置に関する。
【０００２】
【従来の技術】
一般に、釣竿支持装置は、船縁に取り付け固定される装置本体と、釣竿に着脱自在に装着される竿固定部とからなる。前記装置本体は、釣竿を支承する竿受部と、竿固定部が着脱自在に装着される装着部とを備えており、釣竿に取り付いた前記竿固定部が前記装着部に装着されることにより、釣竿を船縁に対して支持する。
【０００３】
このような構造の釣竿支持装置は、例えば特開平６−１６５２０号公報に開示されている。この公報に開示されている釣竿支持装置には、釣竿と一緒に握持できる位置に、ハンドルが回動可能に設けられている。そして、竿固定部が装置本体の装着部に装着（係止）されている状態（置き竿の状態）で、ハンドルを上方に回動させると、装着部と竿固定部との係止状態が解除されるようになっている。
【０００４】
また、前記竿固定部は、前記装置本体の装着部に着脱自在に装着される本体部と、この本体部との間で釣竿を挟持する固定部材とからなる。本体部の左右両側にはそれぞれ螺子杆が揺動自在に取り付けられており、２つのナット部材が固定部材側から対応する螺子杆に捩じ込まれることにより、固定部材が本体部に対して取り付けられている。また、２つあるナット部材の一方は、固定部材に形成された切り欠きを通じて、螺子杆とともに側方に揺動できるようになっている。
【０００５】
したがって、ナット部材を緩め、一方のナット部材をこれが螺合する螺子杆とともに固定部材の切り欠きから側方に揺動せしめて固定部材から離脱させた状態で、固定部材を、他方のナット部材およびこれが螺合する螺子杆とともに、前記一方のナット部材の揺動方向と反対方向に揺動せしめる等して、釣竿を本体部の上方から本体部上に載置できるようにし、続いて、釣竿を本体部上に載置した後、固定部材を釣竿の上側から釣竿に当て付けて、固定部材と本体部との間で釣竿を挟み込んでナット部材を締め付ければ、固定部材と本体部との間で釣竿が強固に挟持され、結果的に、竿固定部が釣竿に装着される。
【０００６】
【発明が解決しようとする課題】
ところで、釣竿に竿固定部をバランス良く取り付けて、釣竿支持装置による釣竿の良好で且つ安定した支持を可能ならしめるためには、左右一対のナット部材を均等に且つ適度に締め付けることが望ましい。
【０００７】
しかし、従来の釣竿支持装置にはナット部材の締め付け量を正確に確認できる手段が設けられていないため、使用者は各ナット部材を目分量でしか締め付けることができず、したがって、ナット部材の締め付け量が左右でアンバランスになったり、左右のナット部材を均等に締め付ける操作にかなりの時間を要してしまう。また、ナット部材を緩め過ぎたり、締め過ぎたりする場合もある。ナット部材の締め付け量が左右でアンバランスだと、固定部材が釣竿に対して傾斜して取り付いてしまうため、釣竿を安定して支持できなくなる。また、ナット部材を緩め過ぎると、竿固定部が釣竿から脱落したり、ナット部材を締め過ぎると、釣竿を破損させてしまう虞がある。
【０００８】
本発明は前記事情に着目してなされたものであり、その目的とするところは、竿固定部に設けられたナット部材の締め付け量を正確に把握でき、これによって、釣竿に竿固定部をバランス良く且つ簡単に取り付けることができる釣竿支持装置を提供することにある。
【０００９】
前記課題を解決するために、本発明の釣竿支持装置は、本体部と、本体部との間で釣竿を挟持する固定部材とからなり、本体部の左右両側に螺子杆が取り付けられるとともに、ナット部材が固定部材側から対応する螺子杆に捩じ込んで締め付けられることにより固定部材と本体部との間で釣竿を挟持して釣竿に固定される竿固定部と、釣竿を支承する竿受部と竿固定部の本体部が係脱自在に係止して装着される装着部とを有し、固定状態で設置される装置本体と、一方のナット部材の回転に連動させて他方のナット部材を同量だけ回転させる手段と、を具備することを特徴とする。
【００１０】
【発明の実施の形態】
以下、図面を参照しつつ本発明の一実施形態について説明する。
【００１１】
図１〜図５は本発明の第１の実施形態を示している。図１は本実施形態に係る釣竿支持装置１によって釣竿５０を船縁１２０に対して支持した状態を示している。図示のように、釣竿支持装置１は、船縁１２０に取り付け固定される装置本体２と、釣竿５０に着脱自在に装着される竿固定部（クランプ）４とからなる。
【００１２】
装置本体２は基台３を備えている。基台３には、万力７によって船縁１２０に取り付け固定される固定部５と、竿固定部４が係脱自在に係止されて装着される装着部１１とがそれぞれ一体的に設けられている。また、基台３には、前方に向かって延びる腕部１３が設けられている。この腕部１３の前端には、釣竿５０を支承する略Ｕ字状の竿受部１５が設けられている。
【００１３】
一方、竿固定部４は、装着部１１に係脱自在に係止されて装着される本体部２３と、この本体部２３との間で釣竿５０を挟持する固定部材２０とからなる。本体部２３は、装着部１１に対して着脱（係脱）される筒状の着脱部２３ａと、固定部材２０と協働して釣竿５０を挟持する挟持部２３ｂとを有している。
【００１４】
また、本体部２３には、釣竿５０と一緒に握持できる位置に、ハンドル２４が回動可能に設けられている。そして、竿固定部４が装置本体２の装着部１１に装着（係止）されている状態（置き竿の状態）で、ハンドル２４を上方に回動させると、装着部１１と竿固定部４（着脱部２３ａ）との係止状態が解除されるようになっている。
【００１５】
また、図３に示されるように、釣竿５０に当て付けられる固定部材２０の内面（挟持面）にはラバー３５が設けられている。また、釣竿５０に当て付けられる挟持部２３ｂの内面（挟持面）にもラバー３６が設けられている。また、本体部２３内には、挟持部２３ｂを固定部材２０側に付勢するためのバネ３７が配設されている。
【００１６】
図３に明確に示されているように、本体部２３の左右両側にはそれぞれ螺子杆２２が支軸３３を中心に揺動自在に取り付けられており、２つのナット部材２１が固定部材２０側から対応する螺子杆２２に捩じ込まれることにより、固定部材２０が本体部２３に対して取り付けられている。具体的には、螺子杆２２は、挟持部２３ｂの左右両側に設けられたスリット孔３２内に位置して設けられており、支軸３３を中心にスリット孔３２の側方に向けて揺動できる。また、ナット部材２１は、固定部材２０に設けられた貫通孔３１を貫通してスリット孔３２内へと延び、スリット孔３２内に位置する螺子杆２２に螺合される。また、２つあるナット部材２１の一方は、これが螺合されている螺子杆２２とともに、固定部材２０に形成された切り欠き２０ａを通じて、側方に揺動できるようになっている。
【００１７】
また、螺子杆２２に対するナット部材２１の捩じ込み量（ナット部材２１の締め付け量）を正確に認識できるように、本体部２３には目盛り（表示手段）４０ａ，４０ｂが設けられている。目盛り４０ａ，４０ｂは、左右両側に位置する各螺子杆２２（ナット部材２１）に対応して設けられている。具体的には、目盛り４０ａは、図２に示されるように、各螺子杆２２の片側であってスリット孔３２に隣接する挟持部２３ｂの側面部位に設けられており、スリット孔３２に沿って等間隔で刻まれている。また、目盛り４０ｂは、図３に示されるように、各螺子杆２２の片側であってスリット孔３２の内面部位に設けられており、スリット孔３２に沿って等間隔で刻まれている。
【００１８】
上記構成の釣竿支持装置１において、竿固定部４は、例えば以下のようにして釣竿５０に装着される。
【００１９】
すなわち、まず、ナット部材２１を緩め、一方のナット部材２１をこれが螺合する螺子杆２２とともに固定部材２０の切り欠き２０ａから側方に揺動せしめて固定部材２０から離脱させる。そして、その状態で、今度は、固定部材２０を、他方のナット部材２１およびこれが螺合する螺子杆２２とともに、前記一方のナット部材２１の揺動方向と反対方向に揺動せしめる等して、釣竿５０を本体部２３の上方から挟持部２３ｂ上に載置できるようにする。続いて、釣竿５０を挟持部２３ｂ上に載置した後、固定部材２０を釣竿５０の上側から釣竿５０に当て付け、固定部材２０と挟持部２３ｂとの間で釣竿５０を挟み込む。
【００２０】
固定部材２０と挟持部２３ｂとの間で釣竿５０を挟み込んだら、最後に、左右両方のナット部材２１を締め付けて、固定部材２０と挟持部２３ｂとの間で釣竿５０を挟持する。この場合、本体部２３には、螺子杆２２に対するナット部材２１の捩じ込み量（ナット部材２１の締め付け量）を確認するための目盛り（表示部）４０ａ，４０ｂが設けられているため、使用者は左右一対のナット部材２１を均等に且つ適度に締め付けることができる。目盛り４０ａ，４０ｂはナット部材２１の下端を指線として読むこともできるが、目盛り４０を指し示す新たな線４２をナット部材２１の周側面に設け（図４および図５参照）、この線４２と目盛り４０とによってナット部材２１の締め付け量を使用者に認識させるようにしても良い。
【００２１】
このようにして両方のナット部材２１を均等に締め付けていくと、バネ３７が圧縮されるとともに、バネ３７の付勢力によって挟持部２３ｂのラバー３６が変形しつつ釣竿５０に圧接されて、固定部材２０と挟持部２３ｂとの間で釣竿５０が適度に挟圧される。すなわち、竿固定部４が釣竿５０にバランス良く取り付けられる。その状態が図４および図５に示されている（図中、二点鎖線はナット部材２１を締め付ける前の状態を示している）。
【００２２】
以上説明したように、本実施形態の釣竿支持装置１にあっては、螺子杆２２に対するナット部材２１の捩じ込み量（ナット部材２１の締め付け量）を確認するための目盛り４０ａ，４０ｂ（竿固定部４に対するナット部材２１の位置の変化量によって螺子杆２２に対するナット部材２１の締め付け量を表示する表示手段を構成している）が設けられ、ナット部材２１の締め付け程度を外部から視認可能であるため、使用者は左右一対のナット部材２１を均等に且つ適度に締め付けることができる。したがって、釣竿５０に竿固定部４をバランス良く且つ簡単に取り付けることができ（左右のナット部材２１の締め付け量のアンバランスが解消されて固定部材２０を傾斜することなく均等に緊締でき）、釣竿支持装置１による釣竿５０の良好で且つ安定した支持が可能となる。また、ナット部材２１の不要な締め直し操作も解消されるため、竿固定部４を釣竿５０に迅速に取り付けることができる（締め付け操作性が一段と向上する）。特に、本実施形態では、スリット孔３２に隣接する挟持部２３ｂの側面部位とスリット孔３２の内面部位とに目盛り４０ａ，４０ｂが設けられているため、釣竿５０の長手方向側および側方側の両方から目盛りを読むことができる。
【００２３】
なお、本実施形態においては、各螺子杆２２の両側に目盛り４０ａ，４０ｂが設けられていても良い。また、スリット孔３２に隣接する挟持部２３ｂの側面部位とスリット孔３２の内面部位とのいずれか一方のみに目盛り４０ａ（４０ｂ）が設けられていても良い。また、ナット部材２１の周側面に目盛りが設けられるとともに本体部２３側（スリット孔３２の内面もしくは挟持部２３ｂの側面）に目盛りを指し示す矢印が設けられていても良い。また、螺子杆２２に等間隔に目盛り（溝）を刻んでも良い。
【００２４】
図６および図７は本発明の第２の実施形態を示している。なお、本実施形態において、第１の実施形態と共通する構成部分については、同一符号を付してその説明を省略する。
【００２５】
図示のように、本実施形態の釣竿支持装置において、左右両側の各ナット部材２１の軸部には全周にわたって歯６４が形成されている。また、固定部材２０の左右両側には、支軸６５に回転可能に支持された表示プレート（表示手段）６１ａ，６１ｂが設けられている。表示プレート６１，６１ｂの表面には、ナット部材２１の締め付け量を示す数字が、周方向に等間隔で付されている。また、表示プレート６１ａ，６１ｂの外周面には、ナット部材２１の歯６４と噛み合う歯６９が全周にわたって形成されている。また、固定部材２０の中央部には、各表示プレート６１ａ，６１ｂ上の数字を外部に露出させるための表示窓（開口）６０が左右に位置して設けられている。
【００２６】
なお、本実施形態においては、左右両方のナット部材２１が、螺子杆２２とともに、固定部材２０の両側に形成された切り欠き２０ａを通じて、側方に揺動できるようになっている。また、切り欠き２０ａに隣接する固定部材２０の上面部位には、ナット部材２１が螺子杆２２に所定量捩じ込まれた際に切り欠き２０ａからナット部材２１が側方に抜け出る（揺動する）ことを防止する突起６３が設けられている。すなわち、ナット部材２１は、所定量緩められないと、突起６４を乗り越えて揺動することができない（ナット部材２１は、所定量締め付けられると、突起６４と突き当たって揺動することができない）。
【００２７】
このような構成では、ナット部材２１を螺子杆２２とともに切り欠き２０ａ内に位置させると、ナット部材２１の歯６４と固定部材２０側の表示プレート６１ａ，６１ｂの歯６９とが噛み合う。そして、その噛み合い状態でナット部材２１を締め付けると、それに伴って表示プレート６１ａ，６１ｂが回転し、表示窓６０に現れる数字が変化（増大）していく（すなわち、表示プレート６１ａ，６１ｂは、ナット部材２１の回転量によって螺子杆２２に対するナット部材２１の締め付け量を表示する表示手段を構成している）。したがって、使用者は、左右両側の表示窓６０に現れる数字によってナット部材２１の締め付け量を把握することができるとともに、これら左右の数字を揃えることにより左右のナット部材２１を均等に締め付けることができる。そのため、第１の実施形態と同一の作用効果を得ることができる。
【００２８】
図８および図９は本発明の第３の実施形態を示している。なお、本実施形態において、第１の実施形態と共通する構成部分については、同一符号を付してその説明を省略する。
【００２９】
図示のように、本実施形態の釣竿支持装置において、左右両側の各ナット部材２１の軸部には全周にわたって歯６４が形成されている。また、固定部材２０の左右両側には、支軸７５に回転可能に支持され且つ各ナット部材２１の歯６４と噛み合うアイドルギヤ７０ａ，７０ｂ（ギヤ比は１：１）が設けられている。また、固定部材２０の中央部には、支軸７６に回転可能に支持された表示プレート（表示手段）７１が設けられている。表示プレート７０の表面には、ナット部材２１の締め付け量を示す数字が、周方向に等間隔で付されている。また、表示プレート７０は、歯８１を全周にわたって有しており、両方のアイドルギヤ７０ａ，７０ｂと噛み合っている。また、固定部材２０の中心部には、表示プレート７０上の数字を外部に露出させるための表示窓（開口）７２が設けられている。
【００３０】
なお、本実施形態においては、一方のナット部材２１のみが、螺子杆２２とともに、固定部材２０に形成された切り欠き２０ａを通じて、側方に揺動できるようになっている。また、切り欠き２０ａに隣接する固定部材２０の上面部位には、ナット部材２１が螺子杆２２に所定量捩じ込まれた際に切り欠き２０ａからナット部材２１が側方に抜け出る（揺動する）ことを防止する突起６３が設けられている。
【００３１】
このような構成では、揺動可能なナット部材２１を螺子杆２２とともに切り欠き２０ａ内に位置させて固定部材２０側のアイドルギヤ７０ａと噛み合わせた状態で、いずれか一方のナット部材２１を締め付けるように回転させると、それに伴って一方のアイドルギヤ７０ａ（７０ｂ）が回転するとともに、これに噛み合う表示プレート７１が回転し、表示窓７２に現れる数字が変化（増大）していく。また、このようにして表示プレート７１が回転すると、これと噛み合う他方のアイドルギヤ７０ｂ（７０ａ）も回転し、その結果、他方のナット部材２１も一方のナット部材２１の回転量と同じ量だけ回転されて締め付けられる。すなわち、本実施形態にあっては、一方のナット部材２１の回転（締め付け）に連動して他方のナット部材２１も同量だけ自動的に回転されるため、使用者は、一方のナット部材２１を回転操作（締め付け操作）するだけで、左右のナット部材２１を均等に締め付けることができる。また、表示窓７２に現れる数字によってナット部材２１の締め付け量を把握することができる。
【００３２】
【発明の効果】
以上説明したように、本発明の釣竿支持装置によれば、竿固定部に設けられたナット部材の締め付け量を正確に把握でき、これによって、釣竿に竿固定部をバランス良く且つ簡単に取り付けることができる。
【図面の簡単な説明】
【図１】本発明の第１の実施形態に係る釣竿支持装置によって釣竿を船縁に支持した状態を示す側面図である。
【図２】図１の釣竿支持装置の竿固定部の側面図（ナット部材締め付け前）である。
【図３】図２のＡ−Ａ線に沿う断面図である。
【図４】図１の釣竿支持装置の竿固定部の側面図（ナット部材締め付け後）である。
【図５】図４のＢ−Ｂ線に沿う断面図である。
【図６】本発明の第２の実施形態に係る釣竿支持装置の竿固定部の一部断面を付した平面図であり、図７のＣ−Ｃ線に沿って見た矢視図である。
【図７】図６のＥ−Ｅ線に沿う断面図である。
【図８】本発明の第３の実施形態に係る釣竿支持装置の竿固定部の一部断面を付した平面図であり、図９のＤ−Ｄ線に沿って見た矢視図である。
【図９】図８のＦ−Ｆ線に沿う断面図である。
【符号の説明】
１…釣竿支持装置
２…装置本体
４…竿固定部
２０…固定部材
２１…ナット部材
２２…螺子杆
２３…本体部
４０…目盛り（表示手段）
６１ａ，６１ｂ，７１…表示プレート（表示手段）
【図１】
0003746175.tif 000002
【図２】
0003746175.tif 000003
【図３】
0003746175.tif 000004
【図４】
0003746175.tif 000005
【図５】
0003746175.tif 000006
【図６】
0003746175.tif 000007
【図７】
0003746175.tif 000008
【図８】
0003746175.tif 000009
【図９】
0003746175.tif 000010